(57)【要約】【課題】特定の被包装物をユーザーに明示することの可能な包装用物品を提供する。【解決手段】飛び出し部材２６は、通常の状態で、端縁２２の上端で形成される開口面２０Ａと角度θ１を成した飛び出し位置に立つように成形されている。外箱１２から、トレイ１４を引き出すと、飛び出し部材２６は、接続部２８の弾性力により開口面２０Ａ付近の収納位置からＸ方向へ移動して飛び出し位置に至り、飛び出し部材２６の上側に載置されていた重要印刷物３２Ａも、飛び出し部材２６と共に移動する。【選択図】　図３
2004115035.tif 000002
【特許請求の範囲】
【請求項１】
被包装物を収納する収納部材と、
前記収納部材近傍の近傍位置から、この近傍位置よりも前記収納部材から離れた飛び出し位置へ向かって付勢された飛び出し部材と、
前記飛び出し部材を前記近傍位置に維持すると共に、この維持状態を解除可能な維持部材と、
を備えた包装用物品。
【請求項２】
前記収納部材は、この内部に被包装物を出し入れ可能な開口部を備え、
前記維持部材は、前記開口部をカバーすることを特徴とする請求項１に記載の包装用物品。
【請求項３】
前記飛び出し部材は、前記収納部材と一体的に形成されたことを特徴とする請求項１または請求項２に記載の包装用物品。
【発明の詳細な説明】
【０００１】
【発明の属する技術分野】
本発明は包装用物品に係り、特にデジタルカメラ等の包装に適用される包装用物品に関する。
【０００２】
【従来の技術】
デジタルカメラ等の精密機器は、取扱説明書等の印刷物と共に包装用物品に包装され、販売されるのが一般的である。そこで、図８に示すように、特許文献１に記載された化粧箱１００では、化粧箱本体１０２の内部に仕切板１０４が設けられ、仕切板１０４と化粧箱本体１０２の上面とにより説明書収納ポケット１０６が形成されている。この説明書収納ポケット１０６に説明書１０８が収納され、仕切板１０４の一端に設けられた落下防止片１１０が説明書１０８の上側に折り込まれて、内箱１１２が化粧箱本体１０２に挿入されることにより、説明書１０８の説明書収納ポケット１０６からの落下が防止されている。
【０００３】
ところで、近年、デジタルカメラ等の機器の多機能化が進んでおり、取扱説明書等の印刷物も、多くの場合複数冊包装されている。包装された複数冊の印刷物の中には、特に重要な情報が記載されているもの、例えば、機器取り扱い上の安全に関する情報が記載されているものがあり、このような重要な情報の記載された印刷物は、他の印刷物よりも優先してユーザーに読んでもらう必要がある。
【０００４】
しかしながら、上記特許文献１に記載された化粧箱１００では、説明書収納ポケット１０６に複数の印刷物のいずれもが、特に区別されることなく収納されるため、特定の印刷物をユーザーに明示すること、例えば、どの印刷物が重要であるかを明示することができない。すなわち、特定の被包装物をユーザーへ明示することができなかった。
【０００５】
【特許文献１】
実開平５−３４１１９号公報
【０００６】
【発明が解決しようとする課題】
本発明は、上記事実を考慮し、特定の被包装物をユーザーに明示することの可能な包装用物品を提供することを目的とする。
【０００７】
【課題を解決するための手段】
上記目的を達成するために、本発明の包装用物品は、被包装物を収納する収納部材と、前記収納部材近傍の近傍位置から、この近傍位置よりも前記収納部材から離れた飛び出し位置へ向かって付勢された飛び出し部材と、前記飛び出し部材を前記近傍位置に維持すると共に、この維持状態を解除可能な維持部材と、を含んで構成されている。
【０００８】
本発明によれば、収納部材に被包装物が収納される。ここで、収納とは、物品を所定の位置に納めることをいい、収納部材の内部に納められる場合のみならず、収納部材に取り付けられる場合、収納部材に固定される場合等を含む。このとき飛び出し部材は、近傍位置から飛び出し位置へ向かって付勢されているが、維持部材により近傍位置へ維持される。
【０００９】
維持部材によって近傍位置に維持された飛び出し部材は、この維持状態が解除されると、飛び出し位置へ移動する。そこで、この飛び出し部材の移動を利用して、包装された複数の被包装物の中の特定の被包装物も移動するようにすれば、当該被包装物は他の被包装物と区別されて、ユーザーに明示される。したがって、例えば、商品の取り扱い上、特に重要な事項が記載された印刷物等を飛び出し部材と共に飛び出し位置へ移動させることにより、当該印刷物をユーザーにはっきりと明示することができる。
【００１０】
本発明の包装用物品は、請求項２に記載のように、前記収納部材は、この内部に被包装物を出し入れ可能な開口部を備え、前記維持部材は、前記開口部をカバーすることを特徴とすることもできる。
【００１１】
上記発明によれば、収納部材の開口部より収納部材内部に被包装物が収納された状態で、維持部材により開口部がカバーされるので、被包装物は保護される。
【００１２】
また、本発明の包装用物品は、請求項３に記載のように、前記飛び出し部材は、前記収納部材と一体的に形成されたことを特徴とすることもできる。
【００１３】
上記構成によれば、飛び出し部材が収納部材と一体的に形成されているので、収納部材と飛び出し部材とを、例えば、真空成形などで同時に形成することができると共に、部品点数を減少させることができる。
【００１４】
【発明の実施の形態】
以下、本発明に係る包装用物品の実施の形態について、図面を参照して説明する。
［第１の実施の形態］
本実施の形態の包装用物品１０は、図１及び図２に示すように、外箱１２及びトレイ１４を備える。外箱１２は、上面板１２Ａ、下面板１２Ｂ、及び２枚の側面板１２Ｃで構成される矩形筒状であり、開口部１６が形成されている。上面板１２Ａの開口部１６側の端辺には、開口部１６を塞ぐための蓋部１８が設けられており、２つの側面板１２Ｃの開口部１６側の各端辺には、フラップ１７が設けられている。外箱１２は、開口部１６から内部に、トレイ１４を格納可能となっており、トレイ１４は、矢印Ｗ方向に移動されて、外箱１２の内部に格納される。
【００１５】
トレイ１４は、内部に物品を収納可能な深皿状であり、被包装物の出し入れを行うための開口部２０から、被包装物としてのデジタルカメラ３８及びその付属品４０が収納される。開口部２０は、トレイ１４が外箱１２へ格納された際に、外箱１２の上面板１２Ａでカバーされる。開口部２０を形成するトレイ１４の端縁２２は、トレイ１４の底面側へ折り返され、トレイ１４が補強されている。
【００１６】
端縁２２の、トレイ１４の格納方向Ｗの手前側の端辺２４の中央部には、飛び出し部材２６が設けられている。飛び出し部材２６は板状であり、接続部２８及び載置部３０から構成されている。接続部２８は、飛び出し部材２６のトレイ１４との接続部分であり、載置部３０は、製品に関する重要事項の記載された重要印刷物３２Ａ（取扱説明書等の他の一般印刷物３２Ｂとは区別される）等が載置される部分である。
【００１７】
トレイ１４は、プラスチックで形成されており、飛び出し部材２６は、トレイ１４と所謂真空成形などで一体的に形成されている。図３に示すように、飛び出し部材２６は、通常の状態で、端縁２２の上端で形成される開口面２０Ａと角度θ１を成した飛び出し位置に立つように成形されている。飛び出し位置にある飛び出し部材２６を図中の符号５０で示す。飛び出し部材２６は、接続部２８を支点として、トレイ１４の近傍である開口面２０Ａ側へ移動可能となっており、トレイ１４が外箱１２に格納される際には、図２に示すように、開口面２０Ａ近傍である近傍位置へ移動され、開口面２０Ａと成す角がθ２とされて、トレイ１４と共に外箱１２の内部に格納される。近傍位置にある飛び出し部材２６を図中の符号５２で示す。接続部２８は弾性力を有するように成形されており、飛び出し部材２６は、飛び出し位置に向かって、すなわち、トレイ１４の外側Ｘ方向へ付勢されている。
【００１８】
なお、本実施の形態では、飛び出し部材２６が、飛び出し位置に位置する場合の角度θ１を６０°程度に設定したが、角度θ１は接続部２８の弾性力、重要印刷物３２Ａの重量などを考慮して、θ２＜θ１でかつ、０°＜θ１≦２７０°の範囲で自由に設定される。
【００１９】
次に、本実施の形態の作用について説明する。
【００２０】
図２に示すように、トレイ１４の内部には、開口部２０から、デジタルカメラ３８及び付属品４０が収納され、トレイ１４と飛び出し部材２６の間には、他の一般印刷物３２Ｂが収納され、飛び出し部材２６の上側には、重要印刷物３２Ａが載置される。トレイ１４を外箱１２に格納する際には、飛び出し部材２６は外側から押され、外箱１２の内部に格納される。この状態で、飛び出し部材２６は、重要印刷物３２Ａを介して、上面板１２Ａの内側から押されているので、接続部２８の弾性力に抗して、Ｘ方向への移動が阻止され、近傍位置に維持されている。フラップ１７が開口部１６側へ折り込まれ、蓋部１８が閉じられて、被包装物の包装が完了する。
【００２１】
蓋部１８を開けて、開口部１６からトレイ１４を矢印Ｗと逆の方向に引き出すと、図３に示すように、飛び出し部材２６は、接続部２８の弾性力により収納位置からＸ方向へ移動し、飛び出し位置に至る。そのため、飛び出し部材２６の上側に載置されていた重要印刷物３２Ａも、飛び出し部材２６と共に移動する。これに対し、他の一般印刷物３２Ｂは、飛び出し部材２６の下側に置かれているので、トレイ１４の開口面２０Ａ付近から移動することはない。その結果、重要印刷物３２Ａを、他の一般印刷物３２Ｂと区別して、ユーザーにはっきりと明示することができる。
【００２２】
また、本実施の形態では、飛び出し部材２６がトレイ１４と一体的に形成されている。したがって、トレイ１４と飛び出し部材２６とを、例えば、真空成形などにより、同時に形成することができると共に、部品点数を減少させることができ、更には、トレイ１４と飛び出し部材２６とが不用意に別離しない、という効果が得られる。
【００２３】
また、トレイ１４を外箱１２から引き出す際に、飛び出し部材２６を取手として利用することもでき、利便性を向上させることができる。
【００２４】
なお、本実施の形態では、トレイ１４がプラスチックで形成されている例について説明したが、トレイ１４はその他の物質、例えば金属で形成することもできる。
【００２５】
また、飛び出し部材２６は、必ずしもトレイ１４と一体的に形成する必要はなく、飛び出し部材２６とトレイ１４とを別体とし、ゴム、バネ等の弾性部材を配置して、飛び出し部材２６をＸ方向へ付勢することもできる。
【００２６】
また、本実施の形態では、飛び出し部材２６の位置が、端縁２２のトレイ１４の格納方向Ｗの手前側の端辺２４の中央部である例について説明したが、飛び出し部材２６は、図４に示すように、端縁２２のトレイ１４の格納方向Ｗに沿った端辺にあってもよく、さらには、トレイ１４の外周面のその他の位置であってもよい。
【００２７】
また、本実施の形態では、外箱１２が矩形筒状で、開口部１６が上面板１２Ａと直交する位置に形成されている例について説明したが、外箱１２は、図５に示すように、上面板１２Ａの部分が開放されるものであってもよい。
［第２の実施の形態］
次に、第２の実施の形態について図６を参照しながら説明する。本実施の形態では、第１の実施の形態と同一の部分については同一の符号を付して、詳細な説明は省略する。
【００２８】
本実施の形態の包装箱６０は、収納部材としての箱本体６２を備える。箱本体６２は直方体の一面が開口された箱体で、４つの側面板６２Ａと１つの底面板６２Ｂとで構成されており、上部に開口部２０を有する。一の側面板６２Ａの上辺には、維持部材としての蓋６６が設けられている。蓋６６は、箱本体６２と一体的に構成されており、開口部２０をカバー可能となっている。
【００２９】
他の側面板６２Ａの上辺には、飛び出し部材２６が設けられている。箱本体１０は、プラスチック等で形成されており、飛び出し部材２６は、箱本体６２と一体的に形成されている。
【００３０】
次に、本実施の形態の作用について説明する。
【００３１】
箱本体６２の内部には、開口部２０から、デジタルカメラ３８及び付属品４０が収納され（図６では図示省略、図１参照）、これらの被包装物と飛び出し部材２６との間には、他の一般印刷物３２Ｂが収納され、飛び出し部材２６の上側には、重要印刷物３２Ａが載置される。飛び出し部材２６は、外側から蓋６６に押されて、開口面２０Ａ近傍の近傍位置（収納位置にある飛び出し部材２６を図中の符号５２で示す）へ維持される。蓋６６が閉じられると、被包装物の包装が完了する。
【００３２】
蓋６６が開けられると、飛び出し部材２６は、接続部２８の弾性力により収納位置から飛び出し位置（飛び出し位置にある飛び出し部材２６を図中の符号５０で示す）へと移動する。その結果、重要印刷物３２Ａを、他の一般印刷物３２Ｂと区別して、ユーザーにはっきりと明示することができる。
【００３３】
また、本実施の形態では、箱本体６２、蓋６６、及び飛び出し部材２６を一体的に構成したので、簡易に製造することができると共に、部品点数を減少させることができる。
［第３の実施の形態］
次に、第３の実施の形態について図７を参照しながら説明する。本実施の形態では、第１、第２の実施の形態と同一の部分については同一の符号を付して、詳細な説明は省略する。
【００３４】
本実施の形態の包装用物品７０は、箱本体６２及び蓋７４を備える。箱本体６２と蓋７４とは別体になっている。
【００３５】
箱本体６２は、飛び出し部材２６を備える。箱本体６２及び飛び出し部材２６の構成は、第２の実施の形態とほぼ同様である。蓋７４は、浅皿状であり、上面板７４Ａ及び４つの側面板７４Ｂを備える。
【００３６】
箱本体６２は、２つの互いに平行に配置された側面６２Ａの各々に突起部７６Ａを備える。蓋７４の、２つの互いに平行に配置された側面板７４Ｂの各々には、止め孔７６Ｂが穿孔されている。止め孔７６Ｂは、蓋７４が、Ｙ方向に移動されて開口部２０をカバーしたときに、突起部７６Ａを嵌合可能な位置に穿孔されている。
【００３７】
次に、本実施の形態の作用について説明する。
【００３８】
箱本体６２の内部には、開口部２０から、デジタルカメラ３８及び付属品４０が収納され（図７では図示省略、図１参照）、これらの被包装物と飛び出し部材２６との間には、他の一般印刷物３２Ｂが収納され、飛び出し部材２６の上側には、重要印刷物３２Ａが載置される。蓋７４がＹ方向に移動され、飛び出し部材２６が外側から押されて、開口部２０近傍の近傍位置（近傍位置にある飛び出し部材２６を図中の符号５２で示す）へ維持されると共に、突起部７６Ａが止め孔７６Ｂに嵌合され、蓋７４が閉じられて、被包装物の包装が完了する。
【００３９】
蓋７４が開けられると、飛び出し部材２６は、接続部２８の弾性力により収納位置から飛び出し位置（飛び出し位置にある飛び出し部材２６を図中の符号５０で示す）へと移動する。その結果、重要印刷物３２Ａを、他の一般印刷物３２Ｂと区別して、ユーザーにはっきりと明示することができる。
【００４０】
なお、本実施の形態では、突起部７６Ａを止め孔７６Ｂに嵌合させることによって、蓋７４と箱本体６２とを密着固定したが、その他の方法、例えば、粘着テープによって蓋７４と箱本体６２とを密着固定することもできる。
【００４１】
【発明の効果】
上記説明したように、本発明によれば、収納部材近傍に維持された飛び出し部材は、維持部材による維持状態が解かれると、飛び出し位置へ移動するので、この飛び出し部材の移動を利用して、包装された複数の被包装物の中の特定の被包装物も移動させることにより、当該被包装物を他の被包装物と区別して、ユーザーに明示することができる。
【図面の簡単な説明】
【図１】第１の実施の形態の包装用物品の斜視図である。
【図２】外箱に格納されている状態のトレイを示す断面図である。
【図３】外箱から出された状態のトレイを示す断面図である。
【図４】第１の実施の形態の包装用物品の変形例の斜視図である。
【図５】第１の実施の形態の包装用物品の変形例の斜視図である。
【図６】第２の実施の形態の包装用物品の変形例の斜視図である。
【図７】第３の実施の形態の包装用物品の変形例の斜視図である。
【図８】従来の例である。
【符号の説明】
１０　　包装用物品
１２　　外箱（維持部材）
１４　　トレイ（収納部材）
２０Ａ　開口面（近傍位置）
２２　　端縁
２６　　飛び出し部材
３８　　デジタルカメラ（被包装物）
４０　　付属品（被包装物）
５０　　飛び出し位置
５２　　近傍位置
６０　　包装箱
６２　　箱本体（収納部材）
６６、７４　蓋（維持部材）
【図１】
2004115035.tif 000003
【図２】
2004115035.tif 000004
【図３】
2004115035.tif 000005
【図４】
2004115035.tif 000006
【図５】
2004115035.tif 000007
【図６】
2004115035.tif 000008
【図７】
2004115035.tif 000009
【図８】
2004115035.tif 000010